(57)【要約】      （修正有）【課題】通常より狭い設置スペースにも設置可能な不審者捕獲器具を提供する。【解決手段】不審者捕獲器具は、柄の先端に挟み部材１を有する。柄は伸縮可能に構成されている。挟み部材１は開閉可能であって開く方向への移動がロックされている。柄を伸ばした状態では挟み部材１のロックを解除できず、柄を縮めた状態で挟み部材１のロックを解除可能なロック解除手段を有する。挟み部材１は、固定アーム１１と可動アームとを有している。柄は、前部柄部材７、後部柄部材８、伸長ロック手段９を有している。固定アーム１１の前部柄部材７の延長上の位置に、可動アーム１２が開閉する側に突出する緩衝部材１３を有する。【選択図】図１
0003228386.tif 000002
【実用新案登録請求の範囲】
【請求項１】
柄の先端に挟み部材を有する不審者捕獲器具であって、
前記柄は伸縮可能に構成されていることを、
特徴とする不審者捕獲器具。
【請求項２】
前記挟み部材は開閉可能であって開く方向への移動がロックされており、前記柄を伸ばした状態では前記挟み部材のロックを解除できず前記柄を縮めた状態で前記挟み部材のロックを解除可能なロック解除手段を有することを、
特徴とする請求項１記載の不審者捕獲器具。
【請求項３】
挟み部材と開位置ロック手段と作動手段と付勢手段と開方向ロック手段とロック解除手段と前部柄部材と後部柄部材と伸長ロック手段とを有し、
前記挟み部材は固定アームと可動アームとを有し、前記可動アームは前記固定アームに対し開閉可能であって、前記開位置ロック手段により開いた状態でロックされ、前記作動手段の作動により前記開位置ロック手段によるロックが解除されて前記付勢手段により前記可動アームは閉じる方向に移動するよう付勢されており、前記開方向ロック手段により前記可動アームは開く方向への移動がロックされており、前記ロック解除手段により前記開方向ロック手段によるロックを解除可能な不審者捕獲器具であって、
前記前部柄部材は先端に前記挟み部材が設けられ、後端に前記ロック解除手段が配置され、
前記後部柄部材は筒状であって先端から前記前部柄部材の前記後端を挿入されて前記前部柄部材に対し長さ方向にスライド可能に設けられ、後部に操作孔を有し、前記後部柄部材は前記前部柄部材に対して伸ばした状態では前記ロック解除手段を被覆しており、前記前部柄部材に対して縮めた状態では前記操作孔から前記ロック解除手段を操作可能に前記操作孔が前記ロック解除手段の位置に位置付けられ、
前記伸長ロック手段は前記後部柄部材を前記前部柄部材に対して伸ばした状態でロックまたはロック解除可能に構成されていることを、
特徴とする不審者捕獲器具。
【請求項４】
前記固定アームの前記前部柄部材の延長上の位置に、前記可動アームが開閉する側に突出する緩衝部材を有することを、
特徴とする請求項３記載の不審者捕獲器具。
【考案の詳細な説明】
【技術分野】
【０００１】
本考案は、不審者を捕獲可能な不審者捕獲器具に関する。
【背景技術】
【０００２】
従来、柄の先端に開閉可能な挟み部材を有する刺股が知られている（例えば、特許文献１，２参照）。これらの刺股では、挟み部材が固定アームと可動アームとを有し、可動アームは固定アームに対し開閉可能であって、開いた状態でロックされる。挟み部材の間に不審者の脚などを当ててロックを解除すると、可動アームが閉じる方向に付勢されて移動し、脚などを挟んで不審者を捕獲できるようになっている。
【先行技術文献】
【特許文献】
【０００３】
【特許文献１】特開２００７−３３３３６７号公報
【特許文献２】実用新案登録第３１１５９６９号公報
【考案の概要】
【考案が解決しようとする課題】
【０００４】
しかしながら、特許文献１、２に示す刺股では、安全に不審者を捕獲するため、不審者の手が届かない長さの柄が必要である。このため、設置スペースが限られるという課題があった。
【０００５】
本考案は、このような課題に着目してなされたもので、通常より狭い設置スペースにも設置可能な不審者捕獲器具を提供することを目的とする。
【課題を解決するための手段】
【０００６】
上記目的を達成するために、本考案に係る不審者捕獲器具は、柄の先端に挟み部材を有する不審者捕獲器具であって、前記柄は伸縮可能に構成されていることを、特徴とする。
本考案に係る不審者捕獲器具は、挟み部材を先端に有する柄が伸縮可能なため、柄を伸ばすことにより不審者から離れて安全な状態で不審者を捕獲することができる。また、柄を縮めることにより、通常より狭い設置スペースにも設置可能となる。
【０００７】
本考案に係る不審者捕獲器具において、前記挟み部材は開閉可能であって開く方向への移動がロックされており、前記柄を伸ばした状態では前記挟み部材のロックを解除できず前記柄を縮めた状態で前記挟み部材のロックを解除可能なロック解除手段を有することが好ましい。
この場合、挟み部材は開く方向への移動がロックされているため、不審者が挟み部材を開いて挟み部材から逃げるのを防ぐことができる。挟み部材のロックを解除するには柄を縮める必要があるため、柄を伸ばした状態で捕獲された不審者がロックを解除して逃げるのを困難にする。
【０００８】
本考案に係る不審者捕獲器具は、挟み部材と開位置ロック手段と作動手段と付勢手段と開方向ロック手段とロック解除手段と前部柄部材と後部柄部材と伸長ロック手段とを有し、前記挟み部材は固定アームと可動アームとを有し、前記可動アームは前記固定アームに対し開閉可能であって、前記開位置ロック手段により開いた状態でロックされ、前記作動手段の作動により前記開位置ロック手段によるロックが解除されて前記付勢手段により前記可動アームは閉じる方向に移動するよう付勢されており、前記開方向ロック手段により前記可動アームは開く方向への移動がロックされており、前記ロック解除手段により前記開方向ロック手段によるロックを解除可能な不審者捕獲器具であって、前記前部柄部材は先端に前記挟み部材が設けられ、後端に前記ロック解除手段が配置され、前記後部柄部材は筒状であって先端から前記前部柄部材の前記後端を挿入されて前記前部柄部材に対し長さ方向にスライド可能に設けられ、後部に操作孔を有し、前記後部柄部材は前記前部柄部材に対して伸ばした状態では前記ロック解除手段を被覆しており、前記前部柄部材に対して縮めた状態では前記操作孔から前記ロック解除手段を操作可能に前記操作孔が前記ロック解除手段の位置に位置付けられ、前記伸長ロック手段は前記後部柄部材を前記前部柄部材に対して伸ばした状態でロックまたはロック解除可能に構成されていることを、特徴とする。
【０００９】
この場合、挟み部材の可動アームは固定アームに対し開閉可能であって、開位置ロック手段により開いた状態でロックされる。不審者を捕獲する場合、前部柄部材に対して後部柄部材を伸ばし、伸ばした状態で伸長ロック手段により後部柄部材をロックする。前部柄部材に対して後部柄部材を伸ばすことにより、不審者から離れて安全な状態で不審者を捕獲することができる。
【００１０】
挟み部材の間に不審者の脚などを位置付け、作動手段を作動させると、開位置ロック手段によるロックが解除されて付勢手段により可動アームが閉じる方向に移動する。開方向ロック手段により可動アームは開く方向への移動がロックされており、可動アームは固定アームとの間に捕獲した不審者を挟んで締め付ける。このため、不審者が挟み部材を開いて挟み部材から逃げるのを防ぐことができる。
【００１１】
後部柄部材は前部柄部材に対して伸ばした状態ではロック解除手段を被覆しているため、挟み部材に挟まれた不審者が開方向ロック手段による可動アームのロックを解除して逃げるのを困難にする。収納の際には、後部柄部材を前部柄部材に対して縮めれば、通常より狭い設置スペースにも設置可能となる。また、後部柄部材を前部柄部材に対して縮めた状態で、操作孔からロック解除手段を操作して、開方向ロック手段による可動アームのロックを解除することができる。可動アームのロックを解除した後、可動アームを固定アームに対して開くことができる。
【００１２】
本考案に係る不審者捕獲器具は、前記固定アームの前記前部柄部材の延長上の位置に、前記可動アームが開閉する側に突出する緩衝部材を有することが好ましい。
この場合、挟み部材で不審者を捕獲する際に、固定アームの衝撃を緩衝部材で抑え、捕獲者を傷付けにくくすることができる。
【考案の効果】
【００１３】
本考案によれば、通常より狭い設置スペースにも設置可能な不審者捕獲器具を提供することができる。
【図面の簡単な説明】
【００１４】
【図１】本考案の実施の形態の不審者捕獲器具の挟み部材を開いた状態を示す正面図である。
【図２】図１の不審者捕獲器具の挟み部材を閉じた状態を示す正面図である。
【図３】図２の不審者捕獲器具の縮めた状態を示す正面図である。
【図４】図３の不審者捕獲器具を示す背面図である。
【図５】図１の不審者捕獲器具の挟み部材を開いた状態から閉じる際の作用説明図である。
【図６】図１の不審者捕獲器具の挟み部材を閉じた状態から開く際の作用説明図である。
【考案を実施するための形態】
【００１５】
以下、図面に基づき本考案の実施の形態について説明する。
図１〜図６は、本考案の実施の形態の不審者捕獲器具を示している。
不審者捕獲器具は、挟み部材１と付勢手段２と開位置ロック手段３と作動手段４と開方向ロック手段５とロック解除手段６と前部柄部材７と後部柄部材８と伸長ロック手段９とを有している。
【００１６】
挟み部材１は、固定アーム１１と可動アーム１２とを有している。可動アーム１２は固定アーム１１に対し開閉可能であって、付勢手段２により閉じる方向に移動するよう付勢されている。可動アーム１２は、開位置ロック手段３により開いた状態でロックされる。開位置ロック手段３は、図５および図６に示すように、固定アーム１１の内面に回転可能に設けられた２つの回転体を有し、可動アーム１２の突起に当たって可動アーム１２の回転を止め、ロックするようになっている。可動アーム１２は、作動手段４の作動により開位置ロック手段３によるロックが解除されて付勢手段２により閉じるようになっている。作動手段４は、固定アームに取り付けられた回転体と可動アーム１２とに両端が取り付けられたワイヤを有している。作動手段４は、ワイヤが柄の側に押されることにより作動するようになっている。
可動アーム１２は、開方向ロック手段５により、開く方向への移動がロックされている。開方向ロック手段５は、図５および図６に示すように、可動アーム１２に設けたギアと係合するレバーを有し、レバーはコイルバネにより付勢されて可動アーム１２が開かないようロックしている。ロック解除手段６は、開方向ロック手段５によるロックを解除可能となっている。ロック解除手段６は、図５および図６に示すように、開方向ロック手段５に取り付けられたワイヤを有し、ワイヤを引っ張ることによりレバーのギアとの係合を外すようになっている。
【００１７】
前部柄部材７は、筒状であって先端に挟み部材１が設けられ、後端にロック解除手段６が突出するよう配置されている。ロック解除手段６は、後端がリング状となっており、指で操作可能となっている。
以上の構成は、前述の特許文献１または特許文献２に記載された構成であり、市販された製品でも用いられている。
不審者捕獲器具では、固定アーム１１の前部柄部材７の延長上の位置に、可動アーム１２が開閉する側に突出する緩衝部材１３を有している。緩衝部材１３は、ウレタンゴムなどから成っている。
【００１８】
図１および図２に示すように、前部柄部材７と後部柄部材８とにより柄が構成されている。後部柄部材８は、筒状であって先端から前部柄部材７の後端を挿入されて前部柄部材７に対し長さ方向にスライド可能に設けられている。後部柄部材８には、背面に長さ方向に沿った溝８１が形成され、前部柄部材７には溝８１と係合してスライドを容易にする突起７１が設けられている。後部柄部材８は、背面の後部に操作孔８２を有している。後部柄部材８は前部柄部材７に対して伸ばした状態ではロック解除手段６を被覆しており、開方向ロック手段５によるロックを解除できないようになっている。後部柄部材８は、前部柄部材７に対して最も縮めた状態で、操作孔８２からロック解除手段６を操作可能に操作孔８２がロック解除手段６の位置に位置付けられる。
【００１９】
伸長ロック手段９は、前部柄部材７の後部にコイルバネで突出するよう付勢されたボタンと、後部柄部材８を前部柄部材７に対して伸ばしたとき、ボタンと係合可能な係合孔から成っている。これにより、伸長ロック部材は、後部柄部材８を前部柄部材７に対して伸ばした状態でロックまたはロック解除可能に構成されている。後部柄部材８には、滑り止めグリップが設けられている。
【００２０】
次に、作用について説明する。
図１および図２に示すように、不審者捕獲器具において、挟み部材１の可動アーム１２は固定アーム１１に対し開閉可能であって、開位置ロック手段３により開いた状態でロックされる。不審者を捕獲する場合、前部柄部材７に対して後部柄部材８を伸ばし、伸ばした状態で伸長ロック手段９により後部柄部材８をロックする。前部柄部材７に対して後部柄部材８を伸ばすことにより、不審者から離れて安全な状態で不審者を捕獲することができる。
【００２１】
挟み部材１の間に不審者の脚などを位置付け、作動手段４を作動させる。固定アーム１１の前部柄部材７の延長上の位置には、可動アーム１２が開閉する側に突出する緩衝部材１３を有するため、挟み部材１で不審者を捕獲する際、固定アーム１１の衝撃を緩衝部材１３で抑え、捕獲者を傷付けにくくすることができる。
【００２２】
作動手段４を作動させると、開位置ロック手段３によるロックが解除されて、付勢手段２により可動アーム１２が閉じる方向に移動する。開方向ロック手段５により可動アーム１２は開く方向への移動がロックされており、可動アーム１２は固定アーム１１との間に捕獲した不審者を挟んで締め付ける。このため、不審者が挟み部材１を開いて挟み部材１から逃げるのを防ぐことができる。
【００２３】
後部柄部材８は前部柄部材７に対して伸ばした状態ではロック解除手段６を被覆しているため、挟み部材１に挟まれた不審者が開方向ロック手段５による可動アーム１２のロックを解除して逃げるのを困難にする。収納の際には、図３および図４に示すように、後部柄部材８を前部柄部材７に対して縮めれば、通常より狭い設置スペース、例えば、お客様窓口や受付カウンターなどにも設置可能となる。また、後部柄部材８を前部柄部材７に対して縮めた状態で、操作孔８２からロック解除手段６を操作して、開方向ロック手段５による可動アーム１２のロックを解除することができる。可動アーム１２のロックを解除した後、可動アーム１２を固定アーム１１に対して開くことができる。
なお、固定アームには、前方を照らすＬＥＤライトが取り付けられていてもよい。
また、本考案の実施の形態の不審者捕獲器具は、不審者に限らず、犬などの動物の捕獲に用いられてもよく、水難救助などに用いられてもよい。
【符号の説明】
【００２４】
１  挟み部材
２  付勢手段
３  開位置ロック手段
４  作動手段
５  開方向ロック手段
６  ロック解除手段
７  前部柄部材
８  後部柄部材
９  伸長ロック手段
１１  固定アーム
１２  可動アーム
１３  緩衝部材
７１  突起
８１  溝
８２  操作孔
【図１】
0003228386.tif 000003
【図２】
0003228386.tif 000004
【図３】
0003228386.tif 000005
【図４】
0003228386.tif 000006
【図５】
0003228386.tif 000007
【図６】
0003228386.tif 000008